(57)【要約】【解決手段】本発明の実施例は、上りリンクリソーススケジューリング方法、無線基地局及び移動局を提供する。本発明の実施例による非直交多元接続（ＮＯＭＡ）システムのための上りリンクリソーススケジューリング方法は、無線基地局に応用される。前記方法は、前記無線基地局が管理する各移動局グループについて、当該移動局グループに割り当てる上りリンクリソースを示すグループ専属シグナリングをそれぞれ生成するステップと、生成されたグループ専属シグナリングを第１チャネルの異なる位置に多重し且つ送信するステップと、それぞれの前記移動局グループの中のそれぞれの移動局について、少なくとも当該移動局が属する移動局グループを示すグループ情報を含む移動局専属シグナリングを生成するステップと、生成された移動局専属シグナリングを第２チャネルに多重し且つ送信するステップと、を有する。【選択図】図１
2015159538.tif 000002
【特許請求の範囲】
【請求項１】
無線基地局に応用される、非直交多元接続（ＮＯＭＡ）システムのための上りリンクリソーススケジューリング方法であって、前記方法は、
前記無線基地局が管理する各移動局グループについて、当該移動局グループに割り当てる上りリンクリソースを示すグループ専属シグナリングをそれぞれ生成するステップと、
生成されたグループ専属シグナリングを第１チャネルの異なる位置に多重し且つ送信するステップと、
それぞれの前記移動局グループの中のそれぞれの移動局について、少なくとも当該移動局が属する移動局グループを示すグループ情報を含む移動局専属シグナリングを生成するステップと、
生成された移動局専属シグナリングを第２チャネルに多重し且つ送信するステップと、を有する。
【請求項２】
前記生成されたグループ専属シグナリングを第１チャネルの異なる位置に多重し且つ送信するステップは、
予定位置パターンに基づいて、それぞれのグループ専属シグナリングの第１チャネルでの予定位置を確定するステップと、
第１チャネルにおいてそれぞれのグループ専属シグナリングの予定位置で当該グループ専属シグナリングを送信するステップと、
を有する請求項１に記載の方法。
【請求項３】
前記生成されたグループ専属シグナリングを第１チャネルの異なる位置に多重し且つ送信するステップは、
予定位置パターンに基づいて、それぞれのグループ専属シグナリングの第１チャネルでの予定位置を確定するステップと、
時間の経過に伴って変化するシフト量を確定するステップと、
前記シフト量及びそれぞれのグループ専属シグナリングの予定位置に基づいて、それぞれのグループ専属シグナリングの第１チャネルでの多重位置を確定するステップと、
第１チャネルにおいて、それぞれのグループ専属シグナリングの多重位置で当該グループ専属シグナリングを送信するステップと、
を有する請求項１に記載の方法。
【請求項４】
各移動局グループに対してそれぞれ番号付けを行うステップと、をさらに有し、
前記予定位置パターンにおいて、移動局グループの番号に対応する前記第１チャネルでの位置により当該移動局グループのグループ専属シグナリングの予定位置を示し、
前記グループ情報は移動局が属する移動局グループの番号を含む、
請求項２または３に記載の方法。
【請求項５】
前記無線基地局が管理する各移動局グループについて、グループ専属シグナリングをそれぞれ生成するステップは、
移動局グループの中のそれぞれの移動局のチャネル状態を確定し、チャネル状態が最も悪い移動局に基づいて、当該移動局グループのグループ専属シグナリングの符号化率を確定するステップと、
確定された符号化率に基づいて当該移動局グループのグループ専属シグナリングを生成するステップと、
を有する請求項１ないし３のいずれか一項に記載の方法。
【請求項６】
それぞれのグループ専属シグナリングの前記第１チャネルでの位置は、他のグループ専属シグナリングの前記第１チャネルでの位置と隣接しない請求項１に記載の方法。
【請求項７】
前記無線基地局が管理する各移動局グループについて、グループ専属シグナリングをそれぞれ生成するステップは、
移動局の送信電力に基づいて、当該移動局が属する移動局グループに割り当てる上りリンクリソースの中に当該移動局が使用できない上りリンクリソースが存在するか否かを確定するステップと、
当該移動局が使用できない上りリンクリソースが存在する場合、当該移動局が属する移動局グループを、当該移動局を含む第１の移動局グループと、当該移動局を含まない第２の移動局グループとに分割するステップと、
第１の移動局グループと第２の移動局グループに対してそれぞれグループ専属シグナリングを生成するステップ、ただし第２の移動局グループのグループ専属シグナリングは、分割前の移動局グループに割り当てたものと同じ上りリンクリソースを示し、且つ第１の移動局グループのグループ専属シグナリングは、当該移動局が使用できない上りリンクリソース以外は、分割前の移動局グループに割り当てたものと同じ上りリンクリソースを示すと、
を有する請求項１ないし３のいずれか一項に記載の方法。
【請求項８】
前記第１チャネルと前記第２チャネルは物理下りリンク制御チャネルであり、または
前記第１チャネルと前記第２チャネルは拡張された物理下りリンク制御チャネル（ＥＰＤＣＣＨ）である、請求項１ないし３のいずれか一項に記載の方法。
【請求項９】
移動局に応用される、非直交多元接続（ＮＯＭＡ）システムのための上りリンクリソーススケジューリング方法であって、前記方法は、
無線基地局が第１チャネルで送信した、前記無線基地局が管理する各移動局グループのグループ専属シグナリングを検出するステップ、ただしそれぞれの移動局グループのグループ専属シグナリングは当該移動局グループに割り当てる上りリンクリソースを示すと、
無線基地局が第２チャネルで送信した移動局専属シグナリングを検出するステップ、ただし前記移動局専属シグナリングは少なくとも当該移動局が属する移動局グループを示すグループ情報を含むと、
前記グループ専属シグナリングと前記移動局専属シグナリングを検出した場合に、前記グループ情報に基づいて、前記移動局が属する移動局グループのグループ専属シグナリングの前記第１チャネルでの位置を確定し、確定された位置で当該移動局が属する移動局グループのグループ専属シグナリングを取得するステップと、
当該移動局が属する移動局グループのグループ専属シグナリングに基づいて、当該移動局が属する移動局グループに割り当てる上りリンクリソースを確定するステップと、を有する。
【請求項１０】
前記グループ情報に基づいて、前記移動局が属する移動局グループのグループ専属シグナリングの前記第１チャネルでの位置を確定するステップは、
前記グループ情報に基づいて、予定位置パターンに従って、当該移動局が属する移動局グループのグループ専属シグナリングの第１チャネルでの予定位置を、当該移動局が属する移動局グループのグループ専属シグナリングの前記第１チャネルでの位置として確定するステップを有する請求項９に記載の方法。
【請求項１１】
前記グループ情報に基づいて、前記移動局が属する移動局グループのグループ専属シグナリングの前記第１チャネルでの位置を確定するステップは、
前記グループ情報に基づいて、予定位置パターンに従って、当該移動局が属する移動局グループのグループ専属シグナリングの第１チャネルでの予定位置を確定するステップと、
時間の経過に伴って変化するシフト量を確定するステップと、
前記シフト量と確定された予定位置に基づいて、当該移動局が属する移動局グループのグループ専属シグナリングの第１チャネルでの多重位置を当該移動局が属する移動局グループのグループ専属シグナリングの前記第１チャネルでの位置として確定するステップと、を有する請求項９に記載の方法。
【請求項１２】
前記予定位置パターンにおいて、移動局グループの番号に対応する前記第１チャネルでの位置により当該移動局グループのグループ専属シグナリングの予定位置を示し、
前記グループ情報は移動局が属する移動局グループの番号を含み、且つ
前記グループ情報に基づいて、予定位置パターンに従って、それぞれのグループ専属シグナリングの第１チャネルでの予定位置を確定するステップは、
移動局が属する移動局グループの番号に基づいて、予定位置パターンに従って、当該移動局が属する移動局グループのグループ専属シグナリングの前記第１チャネルでの予定位置を確定するステップを有する、請求項１０または１１に記載の方法。
【請求項１３】
無線基地局が送信するリソース割当シグナリングを検出するステップ、ただし前記リソース割当シグナリングは当該移動局に割り当てる上りリンクリソースを示すと、
前記リソース割当シグナリングを検出した場合は、前記リソース割当シグナリングに基づいて、当該移動局に割り当てる上りリンクリソースを確定するステップと、
をさらに有する請求項９ないし１１のいずれか一項に記載の方法。
【請求項１４】
スケジューリング方法指示情報を受信するステップと、
前記スケジューリング方法指示情報に基づいて、前記グループ専属シグナリングと前記移動局専属シグナリングを検出するか、それとも前記リソース割当シグナリングを検出するか、を確定するステップと、をさらに有する請求項１３に記載の方法。
【請求項１５】
非直交多元接続（ＮＯＭＡ）システムのための無線基地局であって、
前記無線基地局が管理するそれぞれの移動局グループについて、当該移動局グループに割り当てる上りリンクリソースを示すグループ専属シグナリングを生成するグループ専属シグナリング生成手段と、
それぞれの前記移動局グループの中のそれぞれの移動局について、少なくとも当該移動局が属する移動局グループを示すグループ情報を含む移動局専属シグナリングを生成する移動局専属シグナリング生成手段と、
生成されたグループ専属シグナリングを第１チャネルの異なる位置に多重し且つ送信し、且つ生成された移動局専属シグナリングを第２チャネルに多重し且つ送信する送信手段と、を有する。
【請求項１６】
前記グループ専属シグナリング生成手段は、
移動局の送信電力に基づいて、当該移動局が属する移動局グループに割り当てる上りリンクリソースの中に当該移動局が使用できない上りリンクリソースが存在するか否かを確定するリソース確定モジュールと、
当該移動局が使用できない上りリンクリソースが存在する場合、当該移動局が属する移動局グループを、当該移動局を含む第１の移動局グループと、当該移動局を含まない第２の移動局グループとに分割するグループ化モジュールと、
第１の移動局グループと第２の移動局グループに対してそれぞれグループ専属シグナリングを生成するシグナリング生成モジュール、ただし第２の移動局グループのグループ専属シグナリングは、分割前の移動局グループに割り当てたものと同じ上りリンクリソースを示し、且つ第１の移動局グループのグループ専属シグナリングは、当該移動局が使用できない上りリンクリソース以外は、分割前の移動局グループに割り当てたものと同じ上りリンクリソースを示す、とを有する請求項１５に記載の無線基地局。
【請求項１７】
非直交多元接続（ＮＯＭＡ）システムのための移動局であって、
無線基地局が第１チャネルで送信した、前記無線基地局が管理する各移動局グループのグループ専属シグナリングを検出し、且つ無線基地局が第２チャネルで送信した移動局専属シグナリングを検出する受信手段、ただしそれぞれの移動局グループのグループ専属シグナリングは当該移動局グループに割り当てる上りリンクリソースを示し、前記移動局専属シグナリングは少なくとも当該移動局が属する移動局グループを示すグループ情報を含むと、
前記グループ専属シグナリングと前記移動局専属シグナリングを検出した場合に、前記グループ情報に基づいて、前記移動局が属する移動局グループのグループ専属シグナリングの前記第１チャネルでの位置を確定し、確定された位置で当該移動局が属する移動局グループのグループ専属シグナリングを取得する情報取得手段と、
当該移動局が属する移動局グループのグループ専属シグナリングに基づいて、当該移動局が属する移動局グループに割り当てる上りリンクリソースを確定するリソース確定手段と、を有する。
【発明の詳細な説明】
【技術分野】
【０００１】
本発明は、上りリンクリソーススケジューリング方法、無線基地局及び移動局に関し、更に具体的には、本発明は非直交多元接続（ＮＯＭＡ）システムに用いられる上りリンクリソーススケジューリング方法、無線基地局及び移動局に関する。
【背景技術】
【０００２】
ロングタームレボリューション（ＬＴＥ）通信システム及びＬＴＥ−Ａｄｖａｎｃｅｄ通信システムにおいて、移動局（ＵＥ）が上りリンク伝送を行う必要があるときは、無線基地局（ｅＮＢ）に対してスケジューリング要求シグナリングを送信することにより、無線基地局から当該移動局が使用できる上りリンクリソースを示す情報を取得する。ＮＯＭＡ無線接続技術を用いた通信システムにおいて、送信電力により複数の移動局（移動局）を区別し、上りリンクデータを伝送するときに異なる移動局のデータを同一のサブ周波数帯域上に多重して送信することが提案されている。これにより、無線基地局がサポートできる同時にスケジューリングする移動局の数が増大する。
【０００３】
リリース８において、無線基地局は、当該無線基地局が管理するセルにおいて当該無線基地局にスケジューリング要求を送信する各移動局に対して、当該移動局に割り当てる上りリンクリソース示すリソース割当シグナリングをそれぞれ生成し、且つ送信することにより、それぞれの移動局に割り当てる上りリンクリソースを通知する。しかしながら、当該方法において、各移動局にそれぞれリソース割当シグナリングを送信するため、大きなシグナリングオーバヘッドをもたらす。また、ＮＯＭＡ通信システムにおいて、無線基地局がサポートできる同時にスケジューリングする移動局の数の増大に伴い、リソース割当シグナリングにかかるシグナリングオーバヘッドもさらに増大する。
【０００４】
そこで、シグナリングオーバヘッドが大きい問題を解決するために、二段階のシグナリングにより移動局に割り当てられる上りリンクリソースを通知することが提案された。具体的には、第１段階シグナリングはセル専属シグナリングであり、セル専属シグナリングは無線基地局が管理するセルにおいて当該無線基地局に対してスケジューリング請求を送信する複数の移動局にそれぞれ割り当てる、異なる上りリンクリソースを示す情報を含んでもよい。無線基地局は、セル専属シグナリングを報知して、セルの中のすべての移動局が当該シグナリングを受信して復号するようにしてもよい。また、第２段階シグナリングは移動局専属シグナリングであり、無線基地局はその管理する各移動局についてそれぞれ移動局専属シグナリングを生成し且つ送信し、そしてそれぞれの移動局専属シグナリングは、セルの中の一の移動局に割り当てる上りリンクリソースに関する情報のセル専属シグナリングの中での位置を示してもよい。しかしながら、報知されたセル専属シグナリングは、セルの中のチャネル状態が最も悪い移動局にも受信される必要があるため、チャネル状態が最も悪い移動局にしたがってセル専属シグナリングの符号化率を確定することになり、チャネル状態がよい移動局にとって不要なシグナリングオーバヘッドをもたらす。また、移動局は二度ブラインド復号を行ってセル専属シグナリングと移動局専属シグナリングをそれぞれ取得する必要があり、移動局の負担を増加させる。
【発明の概要】
【発明が解決しようとする課題】
【０００５】
以上の問題を鑑みて、移動局に割り当てる上りリンクリソースを示す情報を送信するのに必要なシグナリングオーバヘッドを低減させる上りリンクリソーススケジューリング方法、無線基地局及び移動局を提供することが期待される。
【課題を解決するための手段】
【０００６】
本発明の一つの実施例によれば、無線基地局に応用される、ＮＯＭＡシステムのための上りリンクリソーススケジューリング方法であって、前記方法は、無線基地局が管理する各移動局グループについて、当該移動局グループに割り当てる上りリンクリソースを示すグループ専属シグナリングをそれぞれ生成するステップと、生成されたグループ専属シグナリングを第１チャネルの異なる位置に多重し且つ送信するステップと、それぞれの移動局グループの中のそれぞれの移動局について、少なくとも当該移動局が属する移動局グループを示すグループ情報を含む移動局専属シグナリングを生成するステップと、生成された移動局専属シグナリングを第２チャネルに多重し且つ送信するステップと、を有する方法を提供する。
【０００７】
本発明のもう一つの実施例によれば、移動局に応用される、ＮＯＭＡシステムのための上りリンクリソーススケジューリング方法であって、前記方法は、無線基地局が第１チャネルで送信した、無線基地局が管理する各移動局グループのグループ専属シグナリングを検出するステップ、ただしそれぞれの移動局グループのグループ専属シグナリングは当該移動局グループに割り当てる上りリンクリソースを示すと、無線基地局が第２チャネルで送信した移動局専属シグナリングを検出するステップ、ただし移動局専属シグナリングは少なくとも当該移動局が属する移動局グループを示すグループ情報を含むと、グループ専属シグナリングと移動局専属シグナリングを検出した場合に、グループ情報に基づいて、前記移動局が属する移動局グループのグループ専属シグナリングの第１チャネルでの位置を確定し、確定された位置で当該移動局が属する移動局グループのグループ専属シグナリングを取得するステップと、当該移動局が属する移動局グループのグループ専属シグナリングに基づいて、当該移動局が属する移動局グループに割り当てる上りリンクリソースを確定するステップと、を有する方法を提供する。
【０００８】
本発明のもう一つの実施例によれば、非直交多元接続（ＮＯＭＡ）システムのための無線基地局であって、無線基地局が管理するそれぞれの移動局グループについて、当該移動局グループに割り当てる上りリンクリソースを示すグループ専属シグナリングを生成するグループ専属シグナリング生成手段と、それぞれの移動局グループの中のそれぞれの移動局について、少なくとも当該移動局が属する移動局グループを示すグループ情報を含む移動局専属シグナリングを生成する移動局専属シグナリング生成手段と、生成されたグループ専属シグナリングを第１チャネルの異なる位置に多重し且つ送信し、且つ生成された移動局専属シグナリングを第２チャネルに多重し且つ送信する送信手段と、を有する無線基地局を提供する。
【０００９】
本発明のもう一つの実施例によれば、非直交多元接続（ＮＯＭＡ）システムのための移動局であって、無線基地局が第１チャネルで送信した、無線基地局が管理する各移動局グループのグループ専属シグナリングを検出し、且つ無線基地局が第２チャネルで送信した移動局専属シグナリングを検出する受信手段、ただしそれぞれの移動局グループのグループ専属シグナリングは当該移動局グループに割り当てる上りリンクリソースを示し、移動局専属シグナリングは少なくとも当該移動局が属する移動局グループを示すグループ情報を含むと、グループ専属シグナリングと移動局専属シグナリングを検出した場合に、グループ情報に基づいて、前記移動局が属する移動局グループのグループ専属シグナリングの第１チャネルでの位置を確定し、確定された位置で当該移動局が属する移動局グループのグループ専属シグナリングを取得する情報取得手段と、当該移動局が属する移動局グループのグループ専属シグナリングに基づいて、当該移動局が属する移動局グループに割り当てる上りリンクリソースを確定するリソース確定手段と、を有する移動局を提供する。
【発明の効果】
【００１０】
本発明の実施例による解決策は、無線基地局が同時にスケジューリングする移動局の数が大きい場合に、従来の上りリンクスケジューリング方法に比べて、移動局に割り当てる上りリンクリソースを示す情報を無線基地局が送信するときに必要なシグナリングオーバヘッドを有効的に低減させることができる。
【図面の簡単な説明】
【００１１】
【図１】本発明の一つの実施例による上りリンクリソーススケジューリング方法を示すフロー図。
【図２】それぞれのグループ専属シグナリングの予定位置で当該グループ専属シグナリングを送信する一つの例示的場面を示す説明図。
【図３Ａ】それぞれのグループ専属シグナリングの多重位置で当該グループ専属シグナリングを送信する一つの例示的場面を示す説明図。
【図３Ｂ】それぞれのグループ専属シグナリングの多重位置で当該グループ専属シグナリングを送信する一つの例示的場面を示す説明図。
【図４】無線基地局が初期的に移動局に割り当てた上りリンクリソースの中に、移動局が使用不可のリソースブロックが存在する一つの例示的場面を示す説明図。
【図５】本発明のもう一つの実施例による上りリンクリソーススケジューリング方法を示すフロー図。
【図６】本発明の一つの実施例による無線基地局を示す模範的構造ブロック図。
【図７】本発明の一つの例示による送信手段を示す模範的構造ブロック図。
【図８】本発明のもう一つの例示による送信手段を示す模範的構造ブロック図。
【図９】本発明の一つの例示によるグループ専属シグナリング生成手段を示す模範的構造ブロック図。
【図１０】本発明の一つの実施例による移動局を示す模範的構造ブロック図。
【図１１】本発明の一つの例示による移動局の情報取得手段を示す模範的構造ブロック図。
【発明を実施するための形態】
【００１２】
下記において、図面を参照しながら本発明の好ましい実施例を詳しく説明する。注意すべきことは、本明細書及び図面において、基本的に同じステップと素子は同じ符号で表し、これらのステップ及び素子について重複する説明を省略する。
【００１３】
図１は本発明の一つの実施例による上りリンクリソーススケジューリング方法１００を示すフロー図である。更に具体的には、上りリンクリソーススケジューリング方法１００はＮＯＭＡシステムに用いることができ、且つＮＯＭＡシステムにおける無線基地局によって実行することができる。以下、図１を参照して本発明の一つの実施例による上りリンクリソーススケジューリング方法１００を説明する。
【００１４】
図１に示すように、ステップＳ１０１において、無線基地局が管理する各移動局をグループ化し、グループ専属シグナリングをそれぞれ生成する。ＮＯＭＡシステムにおいて、無線基地局は、当該無線基地局が管理するセルにおいて当該無線基地局にスケジューリング要求を送信する移動局をグループ化し、且つ同一のグループに属する移動局に対して同じ上りリンクリソースを割り当てることができる。本発明の実施例において、それぞれの移動局グループのグループ専属シグナリングは、無線基地局が当該移動局グループに割り当てる上りリンクリソースを示す。
【００１５】
ステップＳ１０２において、生成されたグループ専属シグナリングを第１チャネルの異なる位置に多重し、送信する。例えば、第１チャネルは物理下りリンク制御チャネル（ＰＤＣＣＨ）または拡張された物理下りリンク制御チャネル（ＥＰＤＣＣＨ）であってもよい。報知により第１チャネルを送信してもよい。それぞれの移動局グループの中のすべての移動局が、第１チャネルに含まれる当該移動局グループのグループ専属シグナリングを正確に復調できるように、好ましくは、ステップＳ１０２において、移動局グループの中のそれぞれの移動局のチャネル状態を確定し、チャネル状態が最も悪い移動局に基づいて当該移動局グループのグループ専属シグナリングの符号化率を確定し、かつ確定された符号化率に基づいて当該移動局グループのグループ専属シグナリングを生成してもよい。また、好ましくは、それぞれのグループ専属シグナリングの第１チャネルでの位置は他のグループ専属シグナリングの第１チャネルでの位置と隣接しない。
【００１６】
本発明の一つの例示によれば、ステップＳ１０２において、まず、予定位置パターンに基づいて、それぞれのグループ専属シグナリングの第１のチャネルでの予定位置を確定してもよい。そして第１チャネルにおいて、それぞれのグループ専属シグナリングの予定位置で当該グループ専属シグナリングを送信する。例えば、それぞれのグループ専属シグナリングの第１のチャネルでの予定位置は、当該グループ専属シグナリングの第１チャネルでの始端位置であってもよい。
【００１７】
図２はそれぞれのグループ専属シグナリングの予定位置で当該グループ専属シグナリングを送信する一つの例示的場面を示す説明図である。図２に示す例示的場面において、無線基地局が三つの移動局グループを管理できるものと仮定する。予定位置パターンにおいて、予め、移動局グループ１のグループ専属シグナリング１の第１チャネルでの始端位置を第１チャネルの第０ビットとし、移動局グループ２のグループ専属シグナリング２の第１チャネルでの始端位置を第１チャネルの第１０ビットとし、移動局グループ３のグループ専属シグナリング３の第１チャネルでの始端位置を第１チャネルの第２０ビットとして確定してもよい。ステップＳ１０２において、まず、予定位置パターンに基づいて、グループ専属シグナリング１−３の第１チャネルでの始端位置を確定してもよい。そして、図２に示すように、第１チャネルにおいて、第０ビットから始まる位置でグループ専属シグナリング１を送信し、第１０ビットから始まる位置でグループ専属シグナリング２を送信し、第２０ビットから始まる位置でグループ専属シグナリング３を送信する。
【００１８】
本発明のもう一つの例示によれば、グループ専属シグナリングが同じ下りリンクリソースを長時間占用することを防止するために、ステップＳ１０２において、予定位置パターンに基づいて、それぞれのグループ専属シグナリングの第１チャネルでの予定位置を確定するだけでなく、時間の経過に伴って変化するシフト量も確定してもよい。無線基地局は、シフト量と時間の間の対応関係を予め移動局に予め通知してもよい。代替的には、無線基地局において使用する対応関係と一致するシフト量と時間の間の対応関係を予め移動局の中に記憶してもよい。そして、シフト量とそれぞれのグループ専属シグナリングの予定位置に基づいて、それぞれのグループ専属シグナリングの第１チャネルでの多重位置を確定する。例えば、第１チャネルにおいて、予定位置を前に又は後ろに確定したシフト量だけ移動させて多重位置を取得してもよい。最後に、第１チャネルにおいて、各グループ専属シグナリングの多重位置で当該グループ専属シグナリングを送信する。
【００１９】
図３Ａ及び図３Ｂはそれぞれのグループ専属シグナリングの多重位置で当該グループ専属シグナリングを送信する一つの例示的場面を示す説明図である。図２に示す例示的場面と同様に、図３に示す例示的場面において、無線基地局は３つの移動局グループを管理でき、且つそれぞれのグループ専属シグナリングの第１チャネルでの予定位置は当該グループ専属シグナリングの第１チャネルでの始端位置であるものと仮定する。予定位置パターンにおいて、予め、移動局グループ１のグループ専属シグナリング１の第１チャネルでの始端位置を第１チャネルの第０ビットとし、移動局グループ２のグループ専属シグナリング２の第１チャネルでの始端位置を第１チャネルの第１０ビットとし、移動局グループ３のグループ専属シグナリング３の第１チャネルでの始端位置を第１チャネルの第２０ビットとして確定してもよい。ステップＳ１０２において、まず、予定位置パターンに基づいて、グループ専属シグナリング１−３の第１チャネルでの始端位置をそれぞれ第０ビット、第１０ビット及び第２０ビットとして確定してもよい。
【００２０】
また図３Ａと図３Ｂに示す例示において、第１チャネルにおいてグループ専属シグナリングが時間の経過に伴って変化するシフト量も確定する。例えば、シフト量は特定の時刻から経過する時間と正比例であってもよい。図３Ａと図３Ｂに示す例示において、時刻ｔが上記特定の時刻である。ステップＳ１０２において、まず、予定位置パターンに基づいて、グループ専属シグナリング１−３の第１チャネルでの始端位置を確定し、且つ時刻ｔのシフト量を０と確定する。そして、シフト量が０であるため、それぞれのグループ専属シグナリングの第１チャネルでの多重位置と当該グループ専属シグナリングの始端位置が同じとなる。最後に、図３Ａに示すように、第１チャネルにおいて、第０ビットから始まる位置でグループ専属シグナリング１を送信し、第１０ビットから始まる位置でグループ専属シグナリング２を送信し、且つ第２０ビットから始まる位置でグループ専属シグナリング３を送信する。
【００２１】
一方、時刻ｔ’は時刻ｔから時間帯ｔＣが経過した時刻である。ステップＳ１０２において、まず、予定位置パターンに基づいて、グループ専属シグナリング１−３の第１チャネルでの始端位置を確定し、且つ予定位置のシフト量と特定の時刻から経過する時間との間の関係に基づいて、時間帯ｔＣに対応するシフト量を２ビットと確定してもよい。そして、シフト量が２ビットであるため、それぞれのグループ専属シグナリングの第１チャネルでの多重位置は当該専属シグナリングの始端位置から後ろに２ビットだけ移動して得られる位置と確定できる。最後に、図３Ｂに示すように、第１チャネルにおいて、第２ビットから始まる位置でグループ専属シグナリング１を送信し、第１２ビットから始まる位置でグループ専属シグナリング２を送信し、且つ第２２ビットから始まる位置でグループ専属シグナリング３を送信する。
【００２２】
図１に戻り、ステップＳ１０３において、それぞれの移動局グループの中のそれぞれの移動局について、移動局専属シグナリングを生成する。本発明の実施例において、移動局専属シグナリングは少なくとも当該移動局が属する移動局グループを示すグループ情報を含む。本発明の一つの例示によれば、図１に示す方法は、さらに、各移動局グループについて番号を付けるステップを含んでもよい。グループ情報は、移動局が属する移動局グループを示すために、当該移動局が属する移動局グループの番号を含んでもよい。また、この場合、上記予定位置パターンにおいて、移動局グループの番号に対応する第１チャネルでの位置に基づいて当該移動局グループのグループ専属シグナリングの予定位置を示してもよい。
【００２３】
最後に、ステップＳ１０４において、生成された移動局専属シグナリングを第２チャネルに多重し、送信する。第１チャネルと同じように、リリース１１より前の通信システムにおいて、第２チャネルはＰＤＣＣＨであってもよい。また、リリース１１以降の通信システムにおいて、第２チャネルはＥＰＤＣＣＨであってもよい。生成された移動局専属シグナリングを第２チャネルの異なる位置に多重し、且つ報知により第２チャネルを送信してもよい。
【００２４】
本発明の上記実施例における上りリンクリソーススケジューリング方法によれば、無線基地局が同時にスケジューリングする移動局の数が大きい場合に、移動局に割り当てる上りリンクリソースを示す情報を無線基地局が送信するときに必要なシグナリングオーバヘッドを有効的に低減させることができる。また、図２及び図３に示す例示において、無線基地局が予定位置パターンに基づいて生成された複数のグループ専属シグナリングを第１チャネルでの予定位置に多重して送信することにより、移動局が当該予定位置パターンに基づいて当該移動局が属する移動局グループのグループ専属シグナリングの第１チャネルでの位置を確定することができ、移動局が当該移動局に割り当てる上りリンクリソースを確定するときに必要なブラインド復号の回数を低減させ、移動局が実行しなければならない操作を簡易化させることができる。
【００２５】
また、無線基地局が移動局に割り当てる上りリンクリソースについて、移動局の特定のリソースブロックでの送信電力が最大に達したことにより当該リソースブロックを使用できなくなる場合が時折発生する。上記問題を解決するために、本発明のもう一つの例示によれば、ステップＳ１０１において、無線基地局は、移動局の送信電力により、当該移動局が属する移動局グループに割り当てられた上りリンクリソースの中に当該移動局が使用できない上りリンクリソースが存在するか否かを確定してもよい。
【００２６】
具体的には、無線基地局は、当該無線基地局の管理するセルの中で、当該無線基地局にスケジューリング要求を送信する移動局をグループ化し、且つそれぞれの移動局グループに上りリンクリソースを初期的に割り当てた後、無線基地局は移動局の送信電力に基づいて、当該移動局が属する移動局グループに初期的に割り当てられた上りリンクリソースの中に当該移動局が使用できない上りリンクリソースが存在するか否かを確定する。当該移動局が使用できない上りリンクリソースが存在するときは、無線基地局は、当該移動局が属する移動局グループを、さらに、当該移動局を含む第１の移動局グループと当該移動局を含まない第２の移動局グループに分割し、且つ第１の移動局グループと第２の移動局グループについてそれぞれグループ専属シグナリングを生成し、ただし第２の移動局グループのグループ専属シグナリングは、分割前の移動局グループに割り当てたものと同じ上りリンクリソースを示し、且つ第１の移動局グループのグループ専属シグナリングは、当該移動局が使用できない上りリンクリソース以外は、分割前の移動局グループに割り当てたものと同じ上りリンクリソースを示す。一方、割り当てられた上りリンクリソースを使用できない移動局が存在しない移動局グループについては、ステップＳ１０１において、このような移動局グループについてグループ専属シグナリングを直接生成してもよい。
【００２７】
本例示の方法において、無線基地局は、移動局の受信電力に基づいて、移動局グループ及び移動局グループに割り当てる上りリンクリソースに対して調整を行い、これにより移動局に割り当てる複数の上りリンクリソースブロックの中に当該移動局が使用できないリソースブロックが存在することを防止することができる。
【００２８】
図４は無線基地局が初期的に移動局に割り当てた上りリンクリソースの中に、移動局が使用できないリソースブロックが存在する一つの例示的場面を示す説明図である。図４に示す例示において、無線基地局は、当該無線基地局が管理するセルの中で、当該無線基地局にスケジューリング請求を送信する移動局（ＵＥ）１−７を移動局グループＡ、Ｂ及びＣの三グループに分割し、ただしグループＡはＵＥ１、ＵＥ２及びＵＥ３を有し、グループＢはＵＥ４、ＵＥ５及びＵＥ６を有し、グループＣはＵＥ７を有する。
【００２９】
初めに、無線基地局はグループＡに上りリンクリソースブロック１、２及び３を割り当て、グループＢに上りリンクリソースブロック４及び５を割り当て、グループＣに上りリンクリソースブロック６を割り当てる。無線基地局は、移動局の送信電力に基づいて、初期的に当該移動局が属する移動局グループに割り当てた上りリンクリソースの中に、当該移動局が使用できない上りリンクリソースが存在するか否かを確定する。図４の斜線部分に示すように、ＵＥ３のリソースブロック３での送信電力は最大に達したことにより、ＵＥ３はリソースブロック３を使用できなくなっている。
【００３０】
この場合、上記のように、無線基地局は、さらに、ＵＥ３が属するグループＡを、当該移動局を含む第１の移動局グループＡ１と、当該移動局を含まない第２の移動局グループＡ２とに分割し、かつ第１の移動局グループＡ１と第２の移動局グループＡ２に対してそれぞれグループ専属シグナリングを生成してもよく、ただし、第２の移動局グループＡ２のグループ専属シグナリングはグループＡと同じ上りリンクリソースブロック１−３を示し、且つ第１の移動局グループＡ１のグループ専属シグナリングは、当該移動局が使用できない上りリンクリソースブロック３以外は、分割前の移動局グループに割り当てるものと同じ上りリンクリソース、即ちリソースブロック２及び３を示す。
【００３１】
また、無線基地局にスケジューリング要求を送信する移動局が、従来の通信規格（例えば、リリース８規格）を用いる移動局とＮＯＭＡ規格を用いる移動局とを含む場合は、無線基地局は従来の上りリンクリソーススケジューリング方法により異なる規格を使用する移動局に対して上りリンクリソーススケジューリングを行ってもよいし、図１に示す方法１００により異なる規格を使用する移動局に対して上りリンクリソーススケジューリングを行ってもよい。好ましくは、無線基地局はスケジューリング方法指示情報を移動局に送信して、移動局が用いる上りリンクリソーススケジューリング方法を示してもよい。
【００３２】
代替的には、無線基地局は図１に示す方法１００によりＮＯＭＡ規格を用いる移動局に対して上りリンクリソーススケジューリングを行い、従来の上りリンクリソーススケジューリング方法により従来規格を用いる移動局に対して上りリンクリソーススケジューリングを行ってもよい。従来の上りリンクリソーススケジューリング方法は、リソース割当シグナリングを生成し送信するステップを有してもよい。
【００３３】
本発明の実施例において、リソース割当シグナリングは、従来の上りリンクリソーススケジューリング方法において当該移動局に割り当てる上りリンクリソースを示すシグナリングであってもよい。好ましくは、第１チャネルにおいてグループ専属シグナリングに占用されていないチャネルリソースでリソース割当シグナリングを送信することにより、無線基地局は同じサブフレームの中で従来の通信規格を用いる移動局とＮＯＭＡ規格を用いる移動局のそれぞれに対してサービスを行うことができるようになる。
【００３４】
以下、図５を用いて、図１において無線基地局により実行される上りリンクリソーススケジューリング方法１００に対応する、移動局により実行される上りリンクリソーススケジューリング方法について説明する。以下において、移動局により実行される上りリンクリソーススケジューリング方法の主なステップのみについて説明し、且つ以上で既に図１を用いて説明した詳細的な内容を省略する。
【００３５】
図５は本発明のもう一つの実施例による上りリンクリソーススケジューリング方法５００を示すフロー図である。図５に示すように、ステップＳ５０１において、無線基地局が第１チャネルを用いて送信した、無線基地局の管理する各移動局グループのグループ専属シグナリングを検出する。上記のように、それぞれの移動局グループのグループ専属シグナリングは、当該移動局グループに割り当てる上りリンクリソースを示す。
【００３６】
ステップＳ５０２において、無線基地局が第２チャネルを用いて送信した移動局専属シグナリングを検出する。上記のように、移動局専属シグナリングは、少なくとも、当該移動局が属する移動局グループを示すグループ情報を含む。例えば、無線基地局が移動局グループに対して番号付けを行った場合、グループ情報は移動局が属する移動局グループの番号を含むことにより、当該移動局が所属する移動局グループを示してもよい。
【００３７】
次に、ステップＳ５０３において、グループ専属シグナリングと移動局専属シグナリングを検出した場合、グループ情報に基づいて当該移動局が属する移動局グループのグループ専属シグナリングの第１チャネルでの位置を確定して、確定された位置で当該移動局が所属する移動局グループのグループ専属シグナリングを取得する。本発明の一つの例示によれば、ステップＳ５０３において、グループ情報に基づいて、予定位置パターンにより当該移動局が属する移動局グループのグループ専属シグナリングの第１チャネルでの予定位置を当該移動局が属する移動局グループのグループ専属シグナリングの第１チャネルでの位置として確定してもよい。予定位置パターンについては、上記にて説明したため、ここでは説明しないこととする。
【００３８】
例えば、図２に示す例示において、移動局専属シグナリングが、当該移動局が移動局グループ１に属すると示している場合は、ステップＳ５０３において、第１チャネルの中の第０ビットから始まるグループ専属シグナリングを取得することができる。移動局専属シグナリングが、当該移動局が移動局グループ２に属すると示している場合は、ステップＳ５０３において、第１チャネルの中の第１０ビットから始まるグループ専属シグナリングを取得することができる。また、移動局専属シグナリングが、当該移動局が移動局グループ３に属すると示している場合は、ステップＳ５０３において、第１チャネルの中の第２０ビットから始まるグループ専属シグナリングを取得することができる。
【００３９】
また、本発明のもう一つの例示によれば、グループ専属シグナリングが同じ下りリンクリソースを長時間占用することを防ぐため、無線基地局は専属シグナリングが第１チャネルで送信される位置を時間の経過に伴い変化させてもよい。この場合、ステップＳ５０３において、グループ情報に基づいて、予定位置パターンにより当該移動局が属する移動局グループのグループ専属シグナリングの第１チャネルでの予定位置を確定するだけでなく、時間の経過に伴って変化するシフト量も確定し、且つシフト量及び確定された予定位置に基づいて、当該移動局が所属する移動局グループのグループ専属シグナリングの第１チャネルでの多重位置を、当該移動局が所属する移動局グループのグループ専属シグナリングの第１チャネルでの位置として確定してもよい。また、移動局はシフト量と時間との間の対応関係を予め無線基地局から受信してもよい。代替的には、シフト量と時間の間の対応関係を予め移動局の中に記憶してもよい。また、移動局は、第１チャネルにおいて、予定位置を前又は後ろに確定されたシフト量だけ移動させることにより多重位置を取得してもよい。
【００４０】
例えば、図３Ｂに示す例示において、ステップ５０３において、時刻ｔ’でのシフト量は２ビットであると確定し、移動局専属シグナリングが、当該移動局が移動局グループ１に属すると示す場合は、第１チャネルの第２ビットから始まるグループ専属シグナリングを取得することができる。移動局専属シグナリングが、当該移動局が移動局グループ２に属すると示す場合は、第１チャネルの第１２ビットから始まるグループ専属シグナリングを取得する。また、移動局専属シグナリングが、当該移動局が移動局グループ３に属すると示す場合は、第１チャネルの第２２ビットから始まるグループ専属シグナリングを取得する。
【００４１】
また、無線基地局が移動局グループに番号付けをした場合は、予定位置パターンにおいて、移動局グループの番号に対応する第１チャネルでの位置により当該移動局グループのグループ専属シグナリングの予定位置を示してもよい。ステップＳ５０３において、移動局が所属する移動局グループの番号に基づいて、予定位置パターンにより当該移動局が所属する移動局グループのグループ専属シグナリングの第１チャネルでの予定位置を確定してもよい。
【００４２】
最後に、ステップＳ５０４において、当該移動局が所属する移動局グループのグループ専属シグナリングに基づいて当該移動局が所属する移動局グループに割り当てる上りリンクリソースを確定する。
【００４３】
本発明の上記実施例における上りリンクリソーススケジューリング方法により、無線基地局が同時にスケジューリングする移動局の数が大きい場合に、移動局が無線基地局から当該移動局に割り当てる上りリンクリソースを示す情報を受信する際に必要なシグナリングオーバヘッドを有効的に低減させることができる。また、無線基地局は、予定位置パターンに基づいて生成された複数のグループ専属シグナリングを第１チャネルでの予定位置に多重し、且つ送信することにより、移動局が当該予定位置パターンに基づいて、当該移動局が属する移動局グループのグループ専属シグナリングの第１チャネルでの位置を確定できるようにし、これにより移動局が当該移動局に割り当てる上りリンクリソースを確定するときに必要なブラインド復号の回数を低減させることができ、移動局が実行しなければならない操作を簡易化できる。
【００４４】
また、移動局が、無線基地局が図１に示す方法１００により上りリンクリソーススケジューリングを行うのか、それとも従来の方法により上りリンクリソーススケジューリングを行うのか確定できない場合は、図５に示す方法は、無線基地局から送信されるリソース割当シグナリングを検出するステップをさらに含んでもよい。上記のように、リソース割当シグナリングは、従来の上りリンクリソーススケジューリング方法において当該移動局に割り当てる上りリンクリソースを示すシグナリングであってもよい。且つリソース割当シグナリングを検出した場合は、リソース割当シグナリングに基づいて当該移動局に割り当てる上りリンクリソースを確定する。よって、無線基地局が図１に示す方法１００により上りリンクリソーススケジューリングを行うのか、それとも従来の方法により上りリンクリソーススケジューリングを行うのかにかかわらず、いずれの場合でも移動局は無線基地局が自分に割り当てる上りリンクリソースを確定することができる。
【００４５】
また、選択的には、無線基地局が上りリンクリソーススケジューリングを行う前に、移動局に、図１に示す方法１００により上りリンクリソーススケジューリングを行うのか、それとも従来の方法により上りリンクリソーススケジューリングを行うのかを通知する。この場合、図５に示す方法は、スケジューリング方法指示情報を受信し、且つスケジューリング方法指示情報に基づいて、グループ専属シグナリング及び移動局専属シグナリングを検出するのか、それともリソース割当シグナリングを検出するのか、を確定するステップを更に含んでもよい。そして、確定結果に基づいて対応する方法を実行することにより、当該移動局に割り当てる上りリンクリソースを確定する。
【００４６】
また、本発明のもう一つの例示によれば、また、移動局は当該移動局が所属する無線通信ネットワークを検出し、且つ当該移動局が従来の無線通信ネットワークからＮＯＭＡ通信ネットワークに切り替えられたことを検出した場合は、移動局は従来方法の使用から図５に示す方法５００の使用に切り替えて、無線基地局が当該移動局に割り当てる上りリンクリソースを確定してもよい。
【００４７】
一方、移動局がＮＯＭＡ通信ネットワークから従来の無線通信ネットワークに切り替えられたことを検出した場合は、移動局は図５に示す方法５００の使用から従来方法の使用に切り替えて、無線基地局が当該移動局に割り当てる上りリンクリソースを確定してもよい。これにより、移動局が従来の通信規格に則っているのか、それともＮＯＭＡ規格に則っているのかにかかわらず、いずれの場合でもそのときの当該移動局の所属する通信ネットワークに基づいて適切な上りリンクリソーススケジューリング方法に切り替えることができるため、有効的に無線基地局が当該移動局に割り当てる上りリンクリソースを取得することができる。
【００４８】
以下、図６を参照しながら本発明の実施例のＮＯＭＡシステムに用いる無線基地局を説明する。図６は本発明の一つの実施例による無線基地局６００を示す模範的構造ブロック図である。図６に示すように、本実施例の無線基地局６００は、グループ専属シグナリング生成手段６１０と、移動局専属シグナリング生成手段６２０と、送信手段６３０と、を有する。無線基地局６００の各手段は、それぞれ上記図１のモバイル通信方法１００の各ステップ／機能を実行することができる。したがって、以下において無線基地局６００の主な手段についてのみ説明し、すでに図１を用いて説明した詳細的な内容は省略する。
【００４９】
上記のように、ＮＯＭＡシステムにおいて、無線基地局は当該無線基地局が管理するセルの中で、当該無線基地局にスケジューリング要求を送信する移動局をグループ化し、且つ同一グループに属する移動局に同じ上りリンクリソースを割り当てる。グループ専属シグナリング生成手段６１０は、無線基地局が管理する各移動局をグループ化し、無線基地局が当該移動局グループに割り当てる上りリンクリソースを示すグループ専属シグナリングをそれぞれ生成してもよい。一方、移動局専属シグナリング生成手段６２０は、それぞれの移動局グループの中のそれぞれの移動局について、当該移動局が属する移動局グループを示すグループ情報を少なくとも含む移動局専属シグナリングを生成してもよい。本発明の一つの例示によれば、無線基地局は番号付け手段を有してもよく、各移動局グループに対してそれぞれ番号付けを行う。この場合、グループ情報は移動局が属する移動局グループの番号を含むことにより、当該移動局が属する移動局グループを示してもよい。
【００５０】
送信手段６３０は、生成されたグループ専属シグナリングを第１チャネルの異なる位置に多重して送信してもよい。例えば、リリース１１前の通信システムにおいて、第１チャネルは物理下りリンク制御チャネル（ＰＤＣＣＨ）であってもよい。また、リリース１１以降の通信システムにおいて、第１チャネルは拡張された物理下りリンク制御チャネル（ＥＰＤＣＣＨ）であってもよい。報知により第１チャネルを送信してもよい。それぞれの移動局グループの中のすべての移動局が、第１チャネルに含まれる当該移動局グループのグループ専属シグナリングを正確に復調できるように、好ましくは、送信手段６３０は、移動局グループの中のそれぞれの移動局のチャネル状態を確定し、チャネル状態が最も悪い移動局に基づいて当該移動局グループのグループ専属シグナリングの符号化率を確定し、かつ確定された符号化率に基づいて当該移動局グループのグループ専属シグナリングを生成してもよい。また、好ましくは、それぞれのグループ専属シグナリングの第１チャネルでの位置は他のグループ専属シグナリングの第１チャネルでの位置と隣接しない。
【００５１】
図７は本発明の一つの例示による送信手段を示す模範的構造ブロック図である。図７に示すように、送信手段６３０は、予定位置確定モジュール７１０と送信モジュール７２０とを有してもよい。具体的には、予定位置確定モジュール７１０は予定位置パターンに基づいてそれぞれのグループ専属シグナリングの第１チャネルでの予定位置を確定してもよい。例えば、それぞれのグループ専属シグナリングの第１チャネルでの予定位置は、当該グループ専属シグナリングの第１チャネルでの始端位置であってもよい。また、上記のように、無線基地局６００が各移動局グループに対してそれぞれ番号付けを行う番号付け手段を有する場合は、予定位置パターンにおいて、移動局グループの番号に対応する第１チャネルでの位置により当該移動局グループのグループ専属シグナリングの予定位置を示してもよい。そして、送信モジュール７２０は第１チャネルにおいてそれぞれのグループ専属シグナリングの予定位置で当該グループ専属シグナリングを送信してもよい。
【００５２】
本発明のもう一つの実施例において、グループ専属シグナリングが同じ下りリンクリソースを長時間占用することを防止するために、グループ専属シグナリングを送信するとき、それぞれのグループ専属シグナリングの第１チャネルでの予定位置を確定するだけでなく、時間の経過に伴って変化するシフト量も確定してもよい。図８は本発明のもう一つの例示による送信手段６３０’を示す模範的構造ブロック図である。図８に示すように、送信手段６３０’は、予定位置確定モジュール８１０と、シフトモジュール８２０と、多重位置確定モジュール８３０と、送信モジュール８４０と、を有する。予定位置確定モジュール７１０と同じように、予定位置確定モジュール８１０は、予定位置パターンに基づいてそれぞれのグループ専属シグナリングの第１チャネルでの予定位置を確定してもよい。シフトモジュール８２０はグループ専属シグナリングが第１チャネルで時間の経過に伴って変化するシフト量を確定できる。そして、多重位置確定モジュール８３０は、シフト量とそれぞれのグループ専属シグナリングの予定位置に基づいて、それぞれのグループ専属シグナリングの第１チャネルでの多重位置を確定してもよい。例えば、多重位置確定モジュール８３０は、第１チャネルにおいて、予定位置を前にまたは後ろに確定されたシフト量だけ移動させることにより多重位置を取得してもよい。最後に、送信モジュール８４０は、第１チャネルにおいてそれぞれのグループ専属シグナリングの多重位置で当該グループ専属シグナリングを送信してもよい。
【００５３】
また、送信手段６３０は、さらに、生成された移動局専属シグナリングを第２チャネルに多重して送信してもよい。第１チャネルと同じように、リリース１１より前の通信システムにおいて、第２チャネルはＰＤＣＣＨであってもよい。また、リリース１１以降の通信システムにおいて、第２チャネルはＥＰＤＣＣＨであってもよい。送信手段６３０は、生成された移動局専属シグナリングを第２チャネルの異なる位置に多重し、且つ報知により第２チャネルを送信してもよい。
【００５４】
本発明の上記実施例の無線基地局により、無線基地局が同時にスケジューリングを行う移動局の数が大きい場合に、移動局に割り当てる上りリンクリソースを示す情報を無線基地局が送信するときに必要なシグナリングオーバヘッドを有効的に低減させることができる。また、図７と図８に示す例示において、無線基地局が、予定位置パターンに基づいて、生成された複数のグループ専属シグナリングを第１チャネルの予定位置に多重し且つ送信することにより、移動局は当該予定位置パターンに基づいて当該移動局が属する移動局グループのグループ専属シグナリングの第１チャネルでの位置を確定することができ、よって移動局が当該移動局に割り当てる上りリンクリソースを確定するときに必要なブラインド復号の回数を低減させ、移動局が実行しなければならない操作を簡易化させることができる。
【００５５】
また、無線基地局が移動局に割り当てる上りリンクリソースについて、移動局の特定のリソースブロックでの送信電力が最大に達したことにより当該リソースブロックを使用できなくなる場合が時折発生する問題を解決するために、本発明の一つの例示によれば、無線基地局は、移動局の送信電力により、当該移動局が属する移動局グループに割り当てられた上りリンクリソースの中に当該移動局が使用できない上りリンクリソースが存在する否かを確定してもよい。
【００５６】
図９は本発明の一つの例示によるグループ専属シグナリング生成手段を示す模範的構造ブロック図である。図９に示すように、グループ専属シグナリング生成手段６１０は、リソース確定モジュール９１０と、グループ化モジュール９２０と、シグナリング生成モジュール９３０と、を有してもよい。
【００５７】
具体的には、無線基地局は当該無線基地局が管理するセルの中で当該無線基地局にスケジューリング要求を送信する移動局に対してグループ化し、且つそれぞれの移動局グループに上りリンクリソースを初期的に割り当てる。リソース確定モジュール９１０は、移動局の送信電力に基づいて、当該移動局の所属する移動局グループに初期的に割り当てた上りリンクリソースの中に当該移動局が使用できない上りリンクリソースがあるか否かを確定してもよい。当該移動局が使用できない上りリンクリソースが存在する場合は、グループ化モジュール９２０は、当該移動局が存在する移動局グループを当該移動局を含む第１の移動局グループと、当該移動局を含まない第２の移動局グループとに分割し、且つシグナリング生成モジュール９３０は、第１の移動局グループと第２の移動局グループに対してそれぞれグループ専属シグナリングを生成し、ただし第２の移動局グループのグループ専属シグナリングは、分割前の移動局グループに割り当てたものと同じ上りリンクリソースを示し、且つ第１の移動局グループのグループ専属シグナリングは、当該移動局が使用できない上りリンクリソース以外は、分割前の移動局グループに割り当てたものと同じ上りリンクリソースを示す。
【００５８】
一方、割り当てられた上りリンクリソースを使用できない移動局が存在しない移動局グループについては、シグナリング生成モジュール９３０は、このような移動局グループについてグループ専属シグナリングを直接生成してもよい。本例示のグループ専属シグナリング生成手段により、無線基地局は、移動局の受信電力に基づいて、移動局グループ及び移動局グループに割り当てる上りリンクリソースに対して調整を行い、これにより移動局に割り当てる複数の上りリンクリソースブロックの中に当該移動局が使用できないリソースブロックが存在することを防止することができる。
【００５９】
また、無線基地局は、リソース割当シグナリング生成手段をさらに有してもよい。無線基地局にスケジューリング要求を送信する移動局が従来の通信規格（例えば、リリース８規格）を用いる移動局とＮＯＭＡ規格を用いる移動局とを含む場合は、無線基地局は、リソース割当シグナリング生成手段により、リソース割当シグナリングを生成し、かつ送信手段により当該リソース割当シグナリングを送信することにより、異なる規格を使用する移動局に対して上りリンクリソーススケジューリングを行ってもよい。
【００６０】
代替的には、上記のように、無線基地局はグループ専属シグナリング生成手段によりグループ専属シグナリングを生成し、移動局専属シグナリング生成手段により移動局専属シグナリングを生成し、且つ送信手段によりグループ専属シグナリング及び移動局専属シグナリングを送信することにより、異なる規格を使用する移動局に対して上りリンクリソーススケジューリングを行ってもよい。
【００６１】
好ましくは、使用する上りリンクリソーススケジューリング方法を示すために、送信手段は移動局にスケジューリング方法指示情報を送信してもよい。代替的には、無線基地局はＮＯＭＡ規格を用いる移動局に対してグループ専属シグナリングと移動局専属シグナリングを生成し且つ送信し、従来規格を用いる移動局に対してリソース割当シグナリングを生成しかつ送信してもよい。好ましくは、送信手段が第１チャネルにおいてグループ専属シグナリングに占用されていないチャネルリソースでリソース割当シグナリングを送信することにより、無線基地局は同じサブフレームの中で従来の通信規格を用いる移動局とＮＯＭＡ規格を用いる移動局のそれぞれに対してサービスを行うことができるようになる。
【００６２】
以下、図１０を参照しながら本発明の実施例のＮＯＭＡシステムに用いる移動局を説明する。図１０は本発明の一つの実施例による移動局１０００を示す模範的構造ブロック図である。図１０に示すように、本実施例の移動局１０００は、受信手段１０１０と、情報取得手段１０２０と、リソース確定手段１０３０と、を有する。移動局１０００の各手段はそれぞれ上記図５におけるモバイル通信方法５００の各ステップ／機能を実行できる。したがって、以下において、移動局１０００の主な手段についてのみ説明し、以上で既に図５を用いて説明した詳細的な内容は省略する。
【００６３】
受信手段１０１０は、無線基地局が第１チャネルで送信した無線基地局が管理する各移動局グループのグループ専属シグナリングを検出できる。上記のように、それぞれの移動局グループのグループ専属シグナリングは、当該移動局グループに割り当てる上りリンクリソースを示す。また、受信手段１０１０は、無線基地局が第２チャネルで送信した移動局専属シグナリングも検出できる。上記のように、移動局専属シグナリングは、少なくとも当該移動局が属する移動局グループを示すグループ情報を含む。例えば、無線基地局が移動局グループに対して番号付けを行った場合は、グループ情報は移動局が属する移動局グループの番号を含むことにより当該移動局が属する移動局グループを示す。
【００６４】
グループ専属シグナリングと移動局専属シグナリングを検出した場合、情報取得手段１０２０は、グループ情報に基づいて当該移動局が属する移動局グループのグループ専属シグナリングの第１チャネルでの位置を確定して、確定された位置で当該移動局が所属する移動局グループのグループ専属シグナリングを取得する。本発明の一つの例示によれば、情報取得手段１０２０は、グループ情報に基づいて、予定位置パターンにより、当該移動局が属する移動局グループのグループ専属シグナリングの第１チャネルでの予定位置を当該移動局が属する移動局グループのグループ専属シグナリングの第１チャネルでの位置として確定してもよい。
【００６５】
また、本発明のもう一つの例示によれば、グループ専属シグナリングが同じ下りリンクリソースを長時間占用することを防止するために、無線基地局はグループ専属シグナリングが第１チャネルで送信される位置を時間の経過に伴って変化させてもよい。この場合、予定位置の他に、情報取得手段１０２０は、グループ専属シグナリングについて、第１チャネルの中で時間の経過に伴って変化するシフト量を確定してもよい。
【００６６】
図１１は本発明の一つの例示による移動局の情報取得手段１０２０を示す模範的構造ブロック図である。図１１に示すように、情報取得手段１０２０は、予定位置確定モジュール１０２１と、シフトモジュール１０２２と、多重位置確定モジュール１０２３と、を有する。予定位置確定モジュール１０２１は前記グループ情報に基づいて、予定位置パターンにより当該移動局が属する移動局グループのグループ専属シグナリングの第１チャネルでの予定位置を確定してもよい。シフトモジュール１０２２は、時間の経過に伴って変化するシフト量を確定する。例えば、シフトモジュール１０２２は、移動局が予め無線基地局から受信したシフト量と時間との間の対応関係によりシフト量を確定してもよい。
【００６７】
また、例えば、シフトモジュール１０２２は、移動局において予め記憶されている、無線基地局において使用される対応関係と一致するシフト量と時間との間の対応関係に基づいて、シフト量を確定してもよい。多重位置確定モジュール１０２３はシフト量と確定された予定位置に基づいて、当該移動局が属する移動局グループのグループ専属シグナリングの第１チャネルでの多重位置を当該移動局が属する移動局グループのグループ専属シグナリングの第１チャネルでの位置として確定してもよい。例えば、多重位置確定モジュール１０２３は、第１チャネルにおいて、予定位置を確定されたシフト量だけ前に又は後ろに移動させることにより多重位置を取得してもよい。
【００６８】
また、無線基地局が移動局グループに対して番号付けを行った場合に、予定位置パターンにおいて、移動局グループの番号に対応する第１チャネルでの位置により当該移動局グループのグループ専属シグナリングの予定位置を示してもよい。情報取得手段１０２０は、移動局が属する移動局グループの番号に基づいて、予定位置パターンに従って当該移動局が属する移動局グループのグループ専属シグナリングの第１チャネルでの予定位置を確定してもよい。
【００６９】
図１０に戻り、最後に、リソース確定手段１０３０は、移動局が属する移動局グループのグループ専属シグナリングに基づいて、当該移動局が属する移動局グループに割り当てる上りリンクリソースを確定してもよい。
【００７０】
本発明の上記実施例における移動局により、無線基地局が同時にスケジューリングする移動局の数が大きい場合に、移動局が無線基地局から当該移動局に割り当てる上りリンクリソースを示す情報を受信する際に必要なシグナリングオーバヘッドを有効的に低減させることができる。また、移動局は、予定位置パターンに基づいて、生成された複数のグループ専属シグナリングを第１チャネルでの予定位置に多重し、且つ送信することにより、移動局が当該予定位置パターンに基づいて当該移動局が属する移動局グループのグループ専属シグナリングの第１チャネルでの位置を確定できるようにし、これにより移動局が当該移動局に割り当てる上りリンクリソースを確定するときに必要なブラインド復号の回数を低減させることができ、移動局が実行しなければならない操作を簡易化できる。
【００７１】
また、本発明の一つの例示によれば、移動局が、無線基地局が図１に示す方法１００により上りリンクリソーススケジューリングを行うのか、それとも従来の方法により上りリンクリソーススケジューリングを行うのか確定できない場合は、受信手段１０１０は、無線基地局から送信されるリソース割当シグナリングを検出してもよい。本発明の実施例において、リソース割当シグナリングは、従来の上りリンクリソーススケジューリング方法において当該移動局に割り当てる上りリンクリソースを示すシグナリングであってもよい。且つ、リソース割当シグナリングを検出したときは、情報取得手段１０２０は、リソース割当シグナリングに基づいて、当該移動局に割り当てる上りリンクリソースを確定してもよい。
【００７２】
よって、無線基地局が図１に示す方法１００により上りリンクリソーススケジューリングを行うのか、それとも従来の方法により上りリンクリソーススケジューリングを行うのかにかかわらず、いずれの場合でも移動局は無線基地局が自分に割り当てる上りリンクリソースを確定することができる。
【００７３】
また、選択的には、無線基地局が上りリンクリソーススケジューリングを行う前に、移動局に、図１に示す方法１００により上りリンクリソーススケジューリングを行うのか、それとも従来の方法により上りリンクリソーススケジューリングを行うのかを通知してもよい。この場合、受信手段１０１０は、スケジューリング方法指示情報を受信し、且つスケジューリング方法指示情報に基づいて、グループ専属シグナリング及び移動局専属シグナリングを検出するのか、それともリソース割当シグナリングを検出するのかを確定してもよい。そして、受信手段１０１０は、確定結果に基づいてグループ専属シグナリング及び移動局専属シグナリングを検出するのか、それともリソース割当シグナリングを検出するのかを確定する。
【００７４】
また、本発明のもう一つの例示によれば、また、移動局は当該移動局が所属する無線通信ネットワークを検出し、且つ当該移動局が従来の無線通信ネットワークからＮＯＭＡ通信ネットワークに切り替えられたことを検出した場合は、受信手段１０１０は、リソース割当シグナリングの検出からグループ専属シグナリングと移動局専属シグナリングの検出に切り替え、且つ情報取得手段１０２０も対応してリソース割当シグナリングに基づいて当該移動局に割り当てる上りリンクリソースを確定することから、グループ専属シグナリングと移動局専属シグナリングの検出に基づいて当該移動局に割り当てる上りリンクリソースを確定することに切り替えてもよい。
【００７５】
一方、移動局がＮＯＭＡ通信ネットワークから従来の無線通信ネットワークに切り替えられたことを検出した場合は、受信手段１０１０と情報取得手段１０２０に対して逆の切り替えを行ってもよい。これにより、移動局が従来の通信規格に則っているのか、それともＮＯＭＡ規格に則っているのかにかかわらず、いずれの場合でもそのときの当該移動局の所属する通信ネットワークに基づいて適切な上りリンクリソーススケジューリング方法に切り替えることができるため、有効的に無線基地局が当該移動局に割り当てる上りリンクリソースを取得することができる。
【００７６】
注意すべきことは、図１と図５に示す方法の各ステップは、示された順序に従って実行する必要はない。いくつかのステップを逆の順序又は平行して実行してもよい。例えば、図１に示す方法１００において、グループ専属シグナリングを生成するステップ（Ｓ１０１）及び生成されたグループ専属シグナリングを第１チャネルの異なる位置に多重し且つ送信するステップ（Ｓ１０２）は、移動局専属シグナリングを生成するステップ（Ｓ１０３）及び生成された移動局専属シグナリングを第２チャネルに多重し且つ送信するステップ（Ｓ１０４）と同時に実行してもよいし、ステップＳ１０３とＳ１０４を先に実行してから、ステップＳ１０１とＳ１０２を実行してもよい。例えば、図５に示す方法５００において、グループ専属シグナリングを検出するステップ（Ｓ５０１）は移動局専属シグナリングを検出するステップ（Ｓ５０２）当同時に実行してもよいし、先にステップＳ５０２を実行してから、ステップＳ５０１を実行してもよい。
【００７７】
当業者は、本文において公開された実施例を用いて説明した各例示の手段、モジュール、アルゴリズムステップは、電子ハードウェア、コンピュータソフトウェア又は両者の組み合わせにより実現できることを理解する。且つ、コンピュータソフトウェアはいかなる形式のコンピュータ記憶媒体に設置されてもよい。ハードウェアとソフトウェアの互換可能性をより明確に説明するために、上記の説明において、機能ごとに一般的に各例示の構成とステップを説明した。これらの機能が果たしてハードウェア形式で実行されるのか、それともソフトウェア形式で実行されるのかは、技術方案の特定の応用及び設計の制約条件によるものである。当業者はそれぞれの特定の応用に対して異なる方法により説明された機能を実現してもよいが、このような実現は本発明の範囲を逸脱したものとみなされるべきではない。
【００７８】
当業者は、特許請求の範囲及びその均等の範囲内であれば、設計需要及び他の要素により、本発明に対してあらゆる修正、組み合わせ、部分的組み合わせ、置換を行うことができることを理解する。
【図１】
2015159538.tif 000003
【図４】
2015159538.tif 000004
【図５】
2015159538.tif 000005
【図６】
2015159538.tif 000006
【図７】
2015159538.tif 000007
【図８】
2015159538.tif 000008
【図９】
2015159538.tif 000009
【図１０】
2015159538.tif 000010
【図１１】
2015159538.tif 000011
【図２】
2015159538.tif 000012
【図３Ａ】
2015159538.tif 000013
【図３Ｂ】
2015159538.tif 000014